(57)【要約】【課題】  送信機器が配信したデジタル情報へのアクセス可否を、受信機器のアクセス時における使用環境だけでなく、アクセス時までの使用環境の変化履歴に応じて決定する。【解決手段】  送信機器が、デジタル情報の配信時に、デジタル情報へのアクセスルールと、受信機器の使用環境の変化時におけるアクセスルールの変更条件とその変更手続きとを付加して配信する手段と、デジタル情報をアクセスする際に、アクセスルールにもとづいたアクセス制御を行う受信機器が、使用環境を検出する手段と、使用環境の変化時に、変化した使用環境の情報と受信済みのデジタル情報に付加されているアクセスルールの更新条件とを照合して、前記アクセスルールの更新手続きに則って、データのアクセスルールを更新するアクセスルール更新手段により上記課題を解決する。【選択図】  図１
2005063292.tif 000002
【特許請求の範囲】
【請求項１】
通信ネットワークを介して、利用者に提供する情報であるデジタル情報を受信機器に配信する送信機器が、
前記デジタル情報へのアクセスの可否を特定する情報であるアクセス制御情報、および前記受信機器の使用環境の情報である環境情報の変化と前記アクセス制御情報の変更とを対応付けるコンテキスト制御情報を、前記アクセス制御情報が特定する前記デジタル情報へのアクセスの可否に応じて前記デジタル情報にアクセスする前記受信機器に、前記デジタル情報とともに配信する
ことを特徴とする配信情報アクセス制御方法。
【請求項２】
受信機器は、環境情報を検出し、
環境情報が所定の変化をしたことを検知すると、コンテキスト制御情報にもとづいて、アクセス制御情報を変更する
請求項１記載の配信情報アクセス制御方法。
【請求項３】
送信機器が備える機能と、受信機器が備える機能とを備える送受信機器を、送信機器または受信機器の代わりに用いる
請求項１または請求項２記載の配信情報アクセス制御方法。
【請求項４】
通信ネットワークを介して、受信機器に、利用者に提供する情報であるデジタル情報、および受信したデジタル情報へのアクセスの可否を特定する情報であるアクセス制御情報、前記受信機器の使用環境の情報である環境情報の変化と前記アクセス制御情報の変更とを対応付けるコンテキスト制御情報を配信する送信部を備えた
ことを特徴とする送信機器。
【請求項５】
通信ネットワークを介して、送信機器が送信した情報を受信する受信部と、
受信機器の使用環境の情報である環境情報を検出する環境情報検出部と、
受信した、利用者に提供する情報であるデジタル情報、および受信した前記デジタル情報へのアクセスの可否を特定する情報であるアクセス制御情報、前記環境情報の変化と前記アクセス制御情報の変更とを対応付けるコンテキスト制御情報を、記憶媒体に記憶させる配信データ格納部と、
前記環境情報検出部が、環境情報が所定の変化をしたことを検知すると、コンテキスト制御情報にもとづいて、アクセス制御情報を変更するアクセスルール更新部と、
前記アクセス制御情報が特定する前記デジタル情報へのアクセスの可否に応じて、受信した前記デジタル情報にアクセスする受信データ利用部とを備えた
ことを特徴とする受信機器。
【請求項６】
通信ネットワークに接続された送受信装置であって、
通信ネットワークを介して、受信機器または送受信機器に、利用者に提供する情報であるデジタル情報、および受信したデジタル情報へのアクセスの可否を特定する情報であるアクセス制御情報、前記受信機器の使用環境の情報である環境情報の変化と前記アクセス制御情報の変更とを対応付けるコンテキスト制御情報を配信する送信部と、
送信機器または送受信機器が送信した情報を受信する受信部と、
前記環境情報を検出する環境情報検出部と、
受信した前記デジタル情報と前記アクセス制御情報と前記コンテキスト制御情報とを、記憶媒体に記憶させる配信データ格納部と、
前記環境情報検出部が、前記環境情報が所定の変化をしたことを検知すると、前記コンテキスト制御情報にもとづいて、前記アクセス制御情報を変更するアクセスルール更新部と、
前記アクセス制御情報が特定する前記デジタル情報へのアクセスの可否に応じて、受信した前記デジタル情報にアクセスする受信データ利用部とを備えた
ことを特徴とする送受信装置。
【請求項７】
利用者に提供する情報であるデジタル情報を受信機器に配信する送信機器に搭載される配信情報アクセス制御プログラムであって、
コンピュータに、
前記受信機器に、前記デジタル情報、および前記デジタル情報へのアクセスの可否を特定する情報であるアクセス制御情報、前記受信機器の使用環境の情報である環境情報の変化と前記アクセス制御情報の変更とを対応付けるコンテキスト制御情報を配信させる
ことを特徴とする配信情報アクセス制御プログラム。
【請求項８】
利用者に提供する情報であるデジタル情報を送信機器から受信する受信機器に搭載される配信情報アクセス制御プログラムであって、
コンピュータに、
前記送信機器が配信した、前記デジタル情報、および前記デジタル情報へのアクセスの可否を特定する情報であるアクセス制御情報、前記受信機器の使用環境の情報である環境情報の変化と前記アクセス制御情報の変更とを対応付けるコンテキスト制御情報を受信させ、
前記アクセス制御情報が特定する前記デジタル情報へのアクセスの可否に応じて、前記デジタル情報にアクセスさせ、
環境情報を検出させ、
環境情報が所定の変化をしたことを検知すると、コンテキスト制御情報にもとづいて、アクセス制御情報を変更する
ことを特徴とする配信情報アクセス制御プログラム。
【請求項９】
通信ネットワークを介して、利用者に提供する情報であるデジタル情報の送受信を行う送受信機器に搭載される配信情報アクセス制御プログラムであって、
コンピュータに、
他の送受信機器に、前記デジタル情報、および前記デジタル情報へのアクセスの可否を特定する情報であるアクセス制御情報、前記送受信機器の使用環境の情報である環境情報の変化と前記アクセス制御情報の変更とを対応付けるコンテキスト制御情報を配信させ、
他の送受信機器から、デジタル情報と、アクセス制御情報と、コンテキスト制御情報とを受信させ、
受信したアクセス制御情報が特定する前記デジタル情報へのアクセスの可否に応じて、前記デジタル情報にアクセスさせ、
環境情報が所定の変化をしたことを検知すると、受信したコンテキスト制御情報にもとづいて、受信したアクセス制御情報を変更する
ことを特徴とする配信情報アクセス制御プログラム。
【発明の詳細な説明】
【技術分野】
【０００１】
本発明はデジタル情報へのアクセス制御方法、アクセス制御プログラム、アクセス制御送信機器、アクセス制御受信機器、およびアクセス制御送受信機器に関し、特に配信されたデジタル情報を受信した機器の使用環境の変化を反映した配信情報アクセス制御方法、プログラム、送信機器、受信機器、および送受信機器に関する。
【背景技術】
【０００２】
特定の周辺状況にある機器に通信の接続を限定することによって、デジタル情報の公開、あるいは配信を限定するアクセス制御方法がある。このようなアクセス制御を実現する従来の方法の一例が、非特許文献１に記載されている。
【０００３】
この従来のアクセス制御方法は、次のように動作する。機器が、自己が要求する接続条件を指定し、接続相手機器を探索するために接続条件をブロードキャストする。ブロードキャストされた接続条件を受信した他の各機器は、自身の位置、隣接機器との距離間隔などを、位置を検知できるセンサなどにより検知し、ブロードキャストされた接続条件と、センサが検知した情報とを比較し、センサが検知した情報が接続条件を満たした場合に、通信セッションを確立する。
【０００４】
こうすることで、距離などの機器間の物理的な関係を参照して、近くにある機器や、同一の部屋にある機器など、特定の条件を満たす機器に限定して通信セッションを確立することが可能になり、特定の周辺状況下にある機器に、通信によるデジタル情報の公開、または配信を行う機器を限定することができる。
【０００５】
また、パーソナルコンピュータや携帯電話機がダウンロードしたデジタル情報へのアクセス制御方法として、デジタル情報にアクセスすることができる時間や回数などの条件であるアクセスルールを記載したアクセス制御リストをデジタル情報に付与して配信し、デジタル情報へのアクセス制御を実現する方法がある。このような従来のデジタル情報へのアクセス制御を実現する方法の一例が、特許文献１に記載されている。図８に、従来のアクセス制御方法を実現するシステムの一構成例を示す。図８に示すように、従来のデジタル情報へのアクセス制御を実現する方法は、デジタル情報である提供ソフトウェア９０１と、キー情報保存部９０２と、実行監視プログラム９０３と、インストール/複写プログラム９０４とによって構成されている。
【０００６】
このような構成によって、従来のデジタル情報へのアクセス制御を実現する方法は次のように動作する。すなわち、提供ソフトウェア９０１へのアクセスルールとして指定される利用可能時間および満期日時と、提供ソフトウェア９０１がインストールされているハードウェアの個別識別情報と、提供ソフトウェア９０１を記憶している記憶領域の物理的位置情報とを、暗号化してキー情報保存部９０２に記憶保持する。
【０００７】
そして、実行監視プログラム９０３は、キー情報保存部９０２に暗号化されて保持されている情報を参照し、提供ソフトウェア９０１の実行中は、利用可能時間の監視を行い、利用可能時間を超過した場合に提供ソフトウェア９０１の実行を終了させる。インストール／複写プログラム９０４は、提供ソフトウェア９０１を機器にインストールしたり、他の機器に複写される際に使用される。インストール／複写プログラム９０４を使用せずに、提供ソフトウェア９０１をインストールや複写を行っても、暗号化されたキー情報を正しく復号できず、提供ソフトウェアを実行できないので、提供ソフトウェアの無制限な利用や複写を制限することができる。こうすることで、デジタル情報である提供ソフトウェア９０１の利用に関し、アクセスルールに基づいたアクセス制御が可能になる。
【０００８】
【非特許文献１】中尾敏康、三津橋晃丈、早川敬介、柏谷篤、「ユビキタス環境における機器接続制御手法の検討（１）モデルとビデオアプリケーションへの適用」、電子情報通信学会２００３年総合大会講演論文集、社団法人電子情報通信学会、２００３年３月２１日、Ｄ−９−１５、ｐ．１３９
【特許文献１】特開平７−３２５７１３号公報（第２−５頁、第１図）
【発明の開示】
【発明が解決しようとする課題】
【０００９】
しかし、非特許文献１に記載されている方法は、周辺状況を、通信セッションの確立のための条件として利用しているだけであり、確立した通信セッションで配信されたデジタル情報に関して、デジタル情報を受信した機器の周辺状況が変化した場合に、当該デジタル情報へのアクセスを制御することができない。
【００１０】
例えば、特定の会議室内で通信セッションを確立して、デジタル情報を取得し、保存する。そして、この機器を会議室外へ持ち出した場合、当該デジタル情報へのアクセスを禁止することができない。その理由は、非特許文献１に記載されている方法には、デジタル情報を受信した機器に保存された情報へのアクセス制御手段が存在しないからである。
【００１１】
特許文献１に記載されている方法は、機器に保存されているデジタル情報に対するアクセス制御が可能である。しかし、機器に保存されているデジタル情報へのアクセスルールは、受信機器の周辺状況に依存せず、固定されている。そのため、受信機器の周辺状況の変化に応じたデジタル情報へのアクセス制御はできない。その理由は、周辺状況を検知して、アクセスルールを更新する手段が存在しないからである。
【００１２】
そこで、本発明は、配信されたデジタル情報を受信した機器において、デジタル情報へのアクセス可否を、アクセス時までの受信機器の使用環境の履歴に応じて決定することが可能なアクセス制御を実現できる配信情報アクセス制御方法、プログラム、送信機器、受信機器、および送受信機器を提供することを目的とする。
【課題を解決するための手段】
【００１３】
本発明による配信情報アクセス制御方法は、通信ネットワークを介して、利用者に提供する情報であるデジタル情報を受信機器に配信する送信機器が、デジタル情報へのアクセスの可否を特定する情報であるアクセス制御情報、および受信機器の使用環境の情報である環境情報の変化とアクセス制御情報の変更とを対応付けるコンテキスト制御情報を、アクセス制御情報が特定するデジタル情報へのアクセスの可否に応じてデジタル情報にアクセスする受信機器に、デジタル情報とともに配信することを特徴とする。
【００１４】
受信機器は、環境情報を検出してもよく、環境情報が所定の変化をしたことを検知すると、コンテキスト制御情報にもとづいて、アクセス制御情報を変更してもよい。そのような構成によれば、環境情報の変化に応じて、アクセス制御情報を変更することができる。
【００１５】
送信機器が備える機能と、受信機器が備える機能とを備える送受信機器を、送信機器または受信機器の代わりに用いてもよい。そのような構成によれば、各機器が他の機器のアクセス制御をすることができる。
【００１６】
本発明による送信機器は、通信ネットワークを介して、受信機器に、利用者に提供する情報であるデジタル情報、および受信したデジタル情報へのアクセスの可否を特定する情報であるアクセス制御情報、受信機器の使用環境の情報である環境情報の変化とアクセス制御情報の変更とを対応付けるコンテキスト制御情報を配信する送信部を備えたことを特徴とする。
【００１７】
本発明による受信機器は、通信ネットワークを介して、送信機器が送信した情報を受信する受信部と、受信機器の使用環境の情報である環境情報を検出する環境情報検出部と、受信した、利用者に提供する情報であるデジタル情報、および受信したデジタル情報へのアクセスの可否を特定する情報であるアクセス制御情報、環境情報の変化とアクセス制御情報の変更とを対応付けるコンテキスト制御情報を、記憶媒体に記憶させる配信データ格納部と、環境情報検出部が、環境情報が所定の変化をしたことを検知すると、コンテキスト制御情報にもとづいて、アクセス制御情報を変更するアクセスルール更新部と、アクセス制御情報が特定するデジタル情報へのアクセスの可否に応じて、受信したデジタル情報にアクセスする受信データ利用部とを備えたことを特徴とする。
【００１８】
本発明による送受信機器は、通信ネットワークに接続された送受信装置であって、通信ネットワークを介して、受信機器または送受信機器に、利用者に提供する情報であるデジタル情報、および受信したデジタル情報へのアクセスの可否を特定する情報であるアクセス制御情報、受信機器または送受信機器の使用環境の情報である環境情報の変化とアクセス制御情報の変更とを対応付けるコンテキスト制御情報を配信する送信部と、送信機器または送受信機器が送信した情報を受信する受信部と、環境情報を検出する環境情報検出部と、受信したデジタル情報とアクセス制御情報とコンテキスト制御情報とを、記憶媒体に記憶させる配信データ格納部と、環境情報検出部が、環境情報が所定の変化をしたことを検知すると、コンテキスト制御情報にもとづいて、アクセス制御情報を変更するアクセスルール更新部と、アクセス制御情報が特定するデジタル情報へのアクセスの可否に応じて、受信したデジタル情報にアクセスする受信データ利用部とを備えたことを特徴とする。
【００１９】
本発明による配信情報アクセス制御プログラムは、利用者に提供する情報であるデジタル情報を受信機器に配信する送信機器に搭載される配信情報アクセス制御プログラムであって、コンピュータに、受信機器に、デジタル情報、およびデジタル情報へのアクセスの可否を特定する情報であるアクセス制御情報、受信機器の使用環境の情報である環境情報の変化とアクセス制御情報の変更とを対応付けるコンテキスト制御情報を配信させることを特徴とする。
【００２０】
本発明による配信情報アクセス制御プログラムは、利用者に提供する情報であるデジタル情報を送信機器から受信する受信機器に搭載される配信情報アクセス制御プログラムであって、コンピュータに、送信機器が配信した、デジタル情報、およびデジタル情報へのアクセスの可否を特定する情報であるアクセス制御情報、受信機器の使用環境の情報である環境情報の変化とアクセス制御情報の変更とを対応付けるコンテキスト制御情報を受信させ、アクセス制御情報が特定するデジタル情報へのアクセスの可否に応じて、デジタル情報にアクセスさせ、環境情報を検出させ、環境情報が所定の変化をしたことを検知すると、コンテキスト制御情報にもとづいて、アクセス制御情報を変更することを特徴とする。
【００２１】
本発明による配信情報アクセス制御プログラムは、通信ネットワークを介して、利用者に提供する情報であるデジタル情報の送受信を行う送受信機器に搭載される配信情報アクセス制御プログラムであって、コンピュータに、他の送受信機器に、デジタル情報、およびデジタル情報へのアクセスの可否を特定する情報であるアクセス制御情報、送受信機器の使用環境の情報である環境情報の変化とアクセス制御情報の変更とを対応付けるコンテキスト制御情報を配信させ、他の送受信機器から、デジタル情報と、アクセス制御情報と、コンテキスト制御情報とを受信させ、受信したアクセス制御情報が特定するデジタル情報へのアクセスの可否に応じて、デジタル情報にアクセスさせ、環境情報が所定の変化をしたことを検知すると、受信したコンテキスト制御情報にもとづいて、受信したアクセス制御情報を変更することを特徴とする。
【発明の効果】
【００２２】
本発明によれば、デジタル情報を受信した機器の使用環境の変化に応じてデジタル情報へのアクセスルールを変更するため、デジタル情報を受信した機器のアクセス時の使用環境だけでなく、アクセス時までの機器の使用環境の履歴に応じて、デジタル情報へのアクセス可否を決定することが可能なアクセス制御を実現することができる。
【発明を実施するための最良の形態】
【００２３】
本発明を実施するための最良の形態を、図面を参照して説明する。図１に、本発明による配信情報アクセス制御方法を実施するための最良の形態の構成を示す。図１を参照すると、本発明の配信情報アクセス制御方法を実施するためのシステムは、インターネット、ＬＡＮ、無線通信網などの通信ネットワーク１９と、通信ネットワーク１９に接続される１つまたは複数の送信機器１−１〜１−ｎおよび受信機器２−１〜２−ｎを含む。送信機器１−２〜１−ｎは、図１に示す送信機器１−１の内部構成と同様である。また、受信機器２−２〜２−ｎは、図１に示す受信機器２−１の内部構成と同様である。以下、送信機器および受信機器について、送信機器１−１の内部構成および受信機器２−１の内部構成を参照して説明する。
【００２４】
受信機器２−１は、無線通信機能を備え、さらに、受信機器の周辺状況を含む使用環境の情報を検出するセンサを備えたパーソナルコンピュータや、ＰＤＡ端末、携帯電話機、デジタル放送受信機、もしくは本発明を実施するための専用通信端末等、またはセンサと接続されたパーソナルコンピュータや、ＰＤＡ端末、携帯電話機、デジタル放送受信機、もしくは本発明を実施するための専用通信端末等によって実現される。また、送信機器１−１は、受信機器と直接、または通信ネットワーク１９を介して通信することができるパーソナルコンピュータやサーバ等によって実現される。例えば、本発明による配信情報アクセス制御方法が、美術館において、展示されている絵画の解説のデジタル情報の配信に適用されるとすると、受信機器２−１として、ノート型パーソナルコンピュータや、ＰＤＡ端末、携帯電話機等のモバイル機器が用いられる。また、送信機器１−１には、絵画解説情報の配信サーバが用いられる。
【００２５】
送信機器１−１は、受信機器２−１へ送信する情報であるデジタル情報を記憶する送信デジタル情報記憶部３と、送信するデジタル情報に付加する情報であるアクセス制御リストを記憶する送信アクセス制御リスト記憶部４と、送信するデジタル情報に付加する情報であるコンテキスト制御リストを記憶する送信コンテキスト制御リスト記憶部５と、デジタル情報に、アクセス制御リストと、コンテキスト制御リストを付加して、配信データを生成する配信データ生成部６と、配信データ生成部６から通信ネットワーク１９へ、または指定の受信機器へ配信データを送信する送信部７とを含む。
【００２６】
図２は、配信データの構造の一例を模式的に示す説明図である。図２を参照して配信データについて説明する。配信データ生成部６は、送信アクセス制御リスト記憶部４が記憶しているアクセス制御リストと、送信コンテキスト制御リスト記憶部５が記憶しているコンテキスト制御リストとを、送信デジタル情報記憶部３が記憶しているデジタル情報に付加して配信データを生成する。具体的には、配信データを、デジタル情報のデータと、コンテキスト制御リストのデータと、アクセス制御リストのデータとを、直列に並べた構造とし、各データの先頭からのオフセットサイズを記録したヘッダを配信データの先頭に付加したり、配信データをＸＭＬ文書とし、タグを用いてそれぞれのデータを意味づけて、並列に表現したりする。
【００２７】
配信データを構成するデジタル情報は、例えば、映像情報や、音声情報、テキスト情報、またはそれらの情報を組み合わせた情報であるマルチメディアコンテンツや、表形式等で構造化されたデータである。
【００２８】
配信データを構成するアクセス制御リストは、例えば、デジタル情報のアクセスルールを列挙した配列あるいはリストによって表現できる。図３はアクセス制御リストの構造の一例を模式的に示す説明図である。図３に示す例では、アクセス制御リストはデジタル情報にアクセスする際のアクセスルールを記述しており、利用に関する属性とその値との組み合わせのリストで、利用回数、利用期間、印刷可否などに関するアクセスルールを表現する。
【００２９】
図３を参照すると、利用回数という属性に１０回という値が設定されているので、１０回までアクセスが許可される。また、利用期間という属性に、７月１日から７月７日までという値が設定されているので、この期間内のみアクセスが許可される。また、印刷可否という属性に否という値が設定されているので、このデジタル情報を印刷することはできない。さらに、図３に示すアクセス制御リストには、利用可否というフラグを利用条件として持たせている。このフラグに値「否」が設定されているときは、他の条件を無視して強制的に利用を不可にする。配信データを構成するコンテキスト制御リストについては、後述する。
【００３０】
入力装置１６は、キーボード、マウス、ボタンなどの入力装置である。配信データ生成部６は、配信データの生成時に、デジタル情報とアクセス制御リストとコンテキスト制御リストとを、予め決定されている組み合わせで組み合わせて、自動的に配信データを生成してもよいし、入力装置１６を介して、送信デジタル情報記憶部３が記憶しているデジタル情報に対して、どのアクセス制御リストと、どのコンテキスト制御リストとを付加するかの指示の入力を入力装置１６を介して受け付け、入力された指示にもとづいて配信データを生成してもよい。また、予めアクセス制御リストやコンテキスト制御リストを持たず、配信データの生成時に、送信機器の使用者に、アクセス制御リストと、コンテキスト制御リストとに記述する内容を入力装置１６を介して入力してもよい。
【００３１】
受信機器２−１は、デジタル情報を記憶する受信デジタル情報記憶部１０と、アクセス制御リストを記憶する受信アクセス制御リスト記憶部１１と、コンテキスト制御リストを記憶する受信コンテキスト制御リスト記憶部１２と、配信データを受信する受信部８と、受信部８が受信した配信データを、デジタル情報とアクセス制御リストとコンテキスト制御リストとに分割し、それぞれを関連付けて各記憶部に記憶させる配信データ格納部９と、受信機器２−１の周辺状況を含む使用環境の情報である環境情報を検出する外部センサ１７が検出した使用環境の情報にもとづいて、使用環境の変化を検知する使用環境検知部１３と、使用環境検知部１３が検知した使用環境の変化に応じてアクセス制御リストを更新するアクセスルール更新部１４と、アクセス制御リストにもとづいてデジタル情報へのアクセス制御を行う受信データ利用部１５とを含む。
【００３２】
受信部８は、通信ネットワーク１９に接続された他の任意の送信機器から、または指定の送信機器から配信データを受信する。配信データ格納部９は、受信部８が受信した配信データを、デジタル情報とアクセス制御リストとコンテキスト制御リストとに分割し、それぞれを関連付けて、デジタル情報を受信デジタル情報記憶部１０に記憶させ、アクセス制御リストを受信アクセス制御リスト記憶部１１に記憶させ、コンテキスト制御リストを受信コンテキスト制御リスト記憶部１２に記憶させる。
【００３３】
ここで、配信データが、デジタル情報とアクセス制御リストとコンテキスト制御リストとを直列に並べた構造であって、配信データの先頭に各データの先頭からのオフセットサイズを記録したヘッダが付加されていた場合、配信データ格納部９は、配信データのヘッダに記録されているオフセットサイズを参照して配信データの分割位置を特定し、配信データをデジタル情報とアクセス制御リストとコンテキスト制御リストとに分割する。また、配信データが、ＸＭＬタグを用いてそれぞれのデータを意味づけて並列に表現したＸＭＬ文書であった場合、ＸＭＬタグを参照してそれぞれのデータを区分けし、配信データをデジタル情報とアクセス制御リストとコンテキスト制御リストとに分割する。
【００３４】
このとき、デジタル情報、アクセス制御リストおよびコンテキスト制御リストの漏洩あるいは改ざん防止のために、配信データ格納部９は、デジタル情報、アクセス制御リストおよびコンテキスト制御リストを暗号化して記憶させたり、電子署名を付加して記憶させてもよい。電子署名を付加する場合、分割した各データを一方向性関数を用いて演算し、算出した値を暗号鍵で暗号化し、各データとともに各記憶部に記憶させる。
【００３５】
アクセスルール更新部１４は、使用環境検知部１３が受信機器２−１の使用環境の変化を検知すると、変化した使用環境と、受信コンテキスト制御リスト記憶部１２が記憶しているコンテキスト制御リストに記載されたアクセス制御リストの更新条件とを比較し、使用環境の変化が更新条件を満足すると、コンテキスト制御リストのアクセス制御リストの更新手続きに従って受信アクセス制御リスト記憶部１１が記憶しているアクセス制御リストを更新（変更）する。
【００３６】
受信データ利用部１５は、受信デジタル情報記憶部１０が記憶しているデジタル情報へアクセスする際に、アクセス制御リスト記憶部１１が記憶しているアクセス制御リストにもとづいてアクセス制御を行う。
【００３７】
外部センサ１７は、受信機器の位置を特定するＧＰＳ受信機、気温を測定する温度センサ、気圧を測定する気圧センサ、湿度を測定する湿度センサ、紫外線量を測定するＵＶセンサ、受信機器が利用可能な通信ネットワークの状況を監視するトラフィック監視センサ、受信機器を持つ利用者の移動速度の算出に用いる加速度を測定する加速度センサ、移動方向を測定する方位センサ、受信機器を持つ利用者の身体状態を測定する発汗計測器や、心拍数計、血圧計、脳波計等の、受信機器２−１の使用環境の情報を検出する１つのセンサまたは複数のセンサを組み合わせたセンサ群によって実現される。使用環境検知部１３は、外部センサ１７が検出した、受信機器２−１の周辺状況をふくむ使用環境の情報である環境情報にもとづいて、使用環境の変化を検知する。環境情報検出部は、例えば、使用環境検知部１３と、外部センサ１７とによって実現される。
【００３８】
受信機器２−１は、ディスプレイ装置や印刷装置、スピーカなどの出力装置である出力装置１８と接続されていてもよい。出力装置１８は、受信データ利用部１５が、アクセス可能と判断したデジタル情報を、表示したり、印刷したり、音声に変換したりすることにより出力する。
【００３９】
コンテキスト制御リストについて説明する。コンテキスト制御リストは、使用環境の変化時におけるアクセス制御リストの更新条件とその更新手続きと対応付け、例えば、受信機器２−１の使用環境の変化時におけるアクセス制御リストの更新条件をキーに、アクセス制御リストの更新手続きを値に持つテーブルで表現できる。受信機器の使用環境の変化とは、例えば、受信機器の位置、気温、気圧、湿度や紫外線量、機器が利用可能な通信ネットワークの状況、機器を持つ利用者の移動速度、移動方向、身体状態、または機器内リソースの状況、機器と連携可能な外部機器の状況等の情報である環境情報が変化することである。受信機器２−１は、これらの情報を検出するセンサを備えてもよいし、これらの情報を検出するセンサ（例えば、外部センサ１７。）と接続されていてもよい。
【００４０】
図４はコンテキスト制御リストの一例を模式的に示した図である。図４を参照すると、受信機器２−１が、美術館の中から美術館の外へ移動したことを受信機器２−１の使用環境検知部１３が検知すると、アクセス制御リストの利用可否の欄を「否」に更新し、また、受信機器２−１が、美術館の外から美術館の中へ移動したことを使用環境検知部１３が検知すると、アクセス制御リストの利用可否の欄を「可」に更新するという手続きが記述されている。ここで、受信機器２−１が美術館の中であるか、美術館の外であるかの検出は、外部センサ１７を用いて、例えば、美術館内部に発信されている微弱電波の検出や、出入口等のゲートに設置した外部装置から発信される信号の検出によって実現できる。また、美術館でなく遊園地のような広域に広がる施設の場合は、ＧＰＳ受信機による絶対位置検出などを利用してもよい。
【００４１】
美術館内にて、図３に示すアクセス制御リストと、図４に示すコンテキスト制御リストとを含む配信データを受信した受信機器２−１が、美術館外に出たことを使用環境検知部１３が検知し、その旨をアクセスルール更新部１４に通知すると、アクセスルール更新部１４は、配信データを構成するアクセス制御リストを、図５のように更新する。図５を参照すると、利用可否属性に、値「否」が設定されていることがわかる。利用可否属性が値「否」になったとき、当該配信データへのアクセスは不可となる。さらに、いったん館外へ出た当該機器が、再び美術館内に入館した際には、当該アクセス制御リストは図３と同様に利用可否属性が値「可」に更新される。このとき再度デジタル情報へのアクセスが許可される。このように、受信機器２−１の使用環境の変化の履歴に応じて、デジタル情報へのアクセスの可否を決定することができる。
【００４２】
一方、美術館内にて、図３に示すアクセス制御リストと、図６に示すコンテキスト制御リストとを含む配信データを受信した受信機器２−１が、美術館外に出たことを使用環境検知部１３が検知し、その旨をアクセスルール更新部１４に通知すると、アクセスルール更新部１４は、配信データを構成するアクセス制御リストを、図５のように更新する。図５を参照すると、利用可否属性に、値「否」が設定されていることがわかる。利用可否属性が値「否」になったとき、当該配信データへのアクセスは不可となる。このとき、再び美術館内に入館しても、コンテキスト制御リストに、該当する更新条件がないため、当該アクセス制御リストは変化せず利用可否属性は値「否」のままである。このときデジタル情報へのアクセスは許可されない。このように、一度美術館を出たら以降の利用は不可といったような制御も可能となる。
【００４３】
コンテキスト制御リストの更新条件に関して、上述したような場所の移動に関する条件だけでなく、環境情報である外部センサ１７が検知可能な物理的なパラメタが、ある閾値を上回ったら、またはある閾値を下回ったら、などという条件を記述してもよい。例えば、受信機器２−１の使用者の体温や心拍数、血圧等が所定の値を上回ったら、使用者の健康を考えてデジタル情報であるホラー映画等の映像再生を停止したり、受信機器２−１の使用者の体温や心拍数、血圧等が、所定の値を上回ったら、使用者の健康を考えてデジタル情報であるゲーム等の動作を停止したりすることが考えられる。コンテキスト制御リストの更新条件は上記に限定されるものではなく、環境情報に含まれるあるパラメタが閾値以上になったり、または閾値未満になったりすると、それに応じてデジタル情報へのアクセスを制御するものであればよい。
【００４４】
コンテキスト制御リストの更新手続きにおける更新する利用条件属性の対象は、利用可否のみならず利用回数、利用時間、利用期間、複写利用の可否、利用者、利用端末などに関する他の対象を含めてもよい。更新手続きにおいて、属性への値の代入操作のみならず、加減算操作で各属性の値を更新してもよい。例えば、再入館時に利用回数を＋１回するなどとしてもよい。
【００４５】
また、上述した説明では、送信機器２−１と受信機器１−１とを別の構成をもつ機器として説明したが、それぞれの構成を併せ持つ一台の送受信機器であってもよい。
【００４６】
本発明による送信機器は、コンピュータに、受信機器に、デジタル情報、およびデジタル情報へのアクセスの可否を特定する情報であるアクセス制御情報、受信機器の使用環境の情報である環境情報の変化とアクセス制御情報の変更とを対応付けるコンテキスト制御情報を配信させることを特徴とする配信情報アクセス制御プログラムを搭載する。
【００４７】
本発明による受信機器は、コンピュータに、送信機器が配信した、デジタル情報、およびデジタル情報へのアクセスの可否を特定する情報であるアクセス制御情報、受信機器の使用環境の情報である環境情報の変化とアクセス制御情報の変更とを対応付けるコンテキスト制御情報を受信させ、アクセス制御情報が特定するデジタル情報へのアクセスの可否に応じて、デジタル情報にアクセスさせ、環境情報を検出させ、環境情報が所定の変化をしたことを検知すると、コンテキスト制御情報にもとづいて、アクセス制御情報を変更することを特徴とする配信情報アクセス制御プログラムを搭載する。
【００４８】
本発明による送受信機器は、コンピュータに、他の送受信機器に、デジタル情報、およびデジタル情報へのアクセスの可否を特定する情報であるアクセス制御情報、送受信機器の使用環境の情報である環境情報の変化とアクセス制御情報の変更とを対応付けるコンテキスト制御情報を配信させ、他の送受信機器から、デジタル情報と、アクセス制御情報と、コンテキスト制御情報とを受信させ、受信したアクセス制御情報が特定するデジタル情報へのアクセスの可否に応じて、デジタル情報にアクセスさせ、環境情報が所定の変化をしたことを検知すると、受信したコンテキスト制御情報にもとづいて、受信したアクセス制御情報を変更することを特徴とする配信情報アクセス制御プログラムを搭載する。
【００４９】
次に、本発明の配信情報アクセス制御方法の動作を図７のシーケンス図を参照して説明する。図７は、本発明を実施するための最良の形態の動作を説明するシーケンス図である。
【００５０】
送信機器１−１から、受信機器２−１へ、デジタル情報を配信する場合を例に、説明する。まず、受信機器２−１は、配信データが送られてくるのを待つ（ステップＳ１０１）。
【００５１】
送信機器１−１は、受信機器２−１へデジタル情報を送信するために、デジタル情報にアクセス制御リストとコンテキスト制御リストを付加して、配信データを生成する（ステップＳ１０２）。
【００５２】
送信機器１−１が、配信データを送信すると（ステップＳ１０３）、受信機器２−１が配信データを受信する（ステップＳ１０４）。
【００５３】
次に、受信機器２−１において、受信したデジタル情報へアクセスする場合について説明する。受信機器２−１は、デジタル情報に付随するアクセス制御リストにもとづいて、デジタル情報の利用の可否を判断し（ステップＳ１０５）、利用可であるなら、デジタル情報を利用する（ステップＳ１０６）。このとき、受信機器２−１は、デジタル情報の利用回数をカウントして記憶してもよい。
【００５４】
次に、受信機器２−１の使用環境が変化した場合のアクセス制御リストの更新について説明する。受信機器２−１に接続されている外部センサ１７は、使用環境を検出し（ステップＳ１０７）、使用環境検知部１３が、使用環境が変化していること検知すると（ステップＳ１０８）、アクセスルール更新部１４が、配信データを構成するコンテキスト制御リストを参照し、アクセス制御リストの更新条件を満たすかどうかを判断する（ステップＳ１０９、Ｓ１１０）。
【００５５】
更新条件を満たす場合、デジタル情報に付加されているコンテキスト制御リストを参照し、アクセス制御リストの更新手続きに従って、アクセス制御リストを更新する（Ｓ１１１、Ｓ１１２）。
【００５６】
また、アクセスルール更新部１４は、アクセス制御リストを参照して、デジタル情報を利用できる可能性があるか否かを判断する。例えば、図３に示すアクセス制御リストを参照すると、利用回数という属性に１０回という値が設定されているので、１０回までアクセスが許可される。また、利用期間という属性に、７月１日から７月７日までという値が設定されているので、この期間内のみアクセスが許可される。従って、利用回数が既に１０回を超えていたり、デジタル情報を利用しようとしている日が７月７日を過ぎていたりすると、デジタル情報を利用できる可能性はない。そのような場合は、そのデジタル情報に関する動作を終了する（ステップＳ１１３）。
【００５７】
本発明による配信情報アクセス制御方法は、例えば、特定の会議室内でのみ利用可能なデジタル情報を配信したい場合に適用することができる。具体的には、送信機器１−１が、受信機器２−１が会議室外に移動することをアクセス制御リストの更新条件とし、その場合にアクセス制御リストの属性の１つである利用可否を「否」にするという更新手続きのコンテキスト制御リストと、属性の１つである利用可否が「可」であるアクセス制御リストとを、デジタル情報に付加して受信機器２−１に配信する。受信機器２−１の使用環境検知部１３は、会議室内部に発信されている微弱電波を外部センサ１７が検出したり、会議室の出入口等のゲートに設置した外部機器からの信号を検出したりすることにより、受信機器２−１が会議室の外に移動したか否かを検知する。また、外部センサ１７は、デジタル情報を配信する送信機器１−１と受信機器２−１との間の距離を測定し、使用環境検知部１３は、測定した距離が一定の閾値未満の値から閾値以上の値に変化すると、受信機器２−１が会議室内から会議室外に移動したと検知してもよい。
【００５８】
受信機器２−１が会議室内にある場合、アクセス制御リストの属性の１つである利用可否が「可」なので、受信機器２−１の受信データ利用部１５は、デジタル情報にアクセスすることができ、受信機器２−１は、デジタル情報を利用することができる。使用環境検知部１３は、受信機器２−１が会議室の外に移動したことを検知すると、その旨をアクセスルール更新部１４に通知する。アクセスルール更新部１４は、コンテキスト制御リストにもとづいて、アクセス制御リストの属性の１つである利用可否を「否」に更新する。すると、受信機器２−１の受信データ利用部１５は、デジタル情報にアクセスすることができなくなり、受信機器２−１は、デジタル情報を利用することができなくなる。
【産業上の利用可能性】
【００５９】
アクセス時までの機器の使用環境の履歴に応じてデジタル情報へのアクセス可否を決定するアクセス制御と、デジタル情報の配信後において、機器の使用環境の変化に応じてデジタル情報へのアクセス可否を決定するアクセス制御とを実現する配信情報アクセス制御方法、プログラム、送信機器、受信機器、および送受信機器を提供することができる。
【図面の簡単な説明】
【００６０】
【図１】本発明を実施するための最良の形態の構成を示すブロック図である。
【図２】本発明における配信データの構造の一例を示す説明図である。
【図３】本発明における配信データに付加されるアクセス制御リストの一例を示す説明図である。
【図４】本発明における配信データに付加されるコンテキスト制御リストの一例を示す説明図である。
【図５】本発明におけるアクセスルール更新部で更新されたアクセス制御リストの一例を示す説明図である。
【図６】本発明における配信データに付加されるコンテキスト制御リストの他の例を示す説明図である。
【図７】本発明を実施するための最良の形態の動作を示すシーケンス図である
【図８】従来技術の構成を示す構成図である。
【符号の説明】
【００６１】
１−１〜１−ｎ  送信機器
２−１〜２−ｎ  受信機器
３  送信デジタル情報記憶部
４  送信アクセス制御リスト記憶部
５  送信コンテキスト制御リスト記憶部
６  配信データ生成部
７  送信部
８  受信部
９  配信データ格納部
１０  受信デジタル情報記憶部
１１  受信アクセス制御リスト記憶部
１２  受信コンテキスト制御リスト記憶部
１３  使用環境検知部
１４  アクセスルール更新部
１５  受信データ利用部
１６  入力装置
１７  外部センサ
１８  出力装置
１９  通信ネットワーク
【図１】
2005063292.tif 000003
【図２】
2005063292.tif 000004
【図３】
2005063292.tif 000005
【図４】
2005063292.tif 000006
【図５】
2005063292.tif 000007
【図６】
2005063292.tif 000008
【図７】
2005063292.tif 000009
【図８】
2005063292.tif 000010